(57)【要約】【課題】  空気循環システム及びその制御方法を提供する。【解決手段】  本発明に係る空気循環システムは、室内ユニット；室外ユニット；室内ユニットと室外ユニットを連結する連結ダクト；室内空気に含まれた汚染物質の濃度を感知するための汚染物質感知センサー；室内空気に含まれた有害物質の濃度を感知するための有害物質感知センサー；及び、前記センサーにより感知された前記汚染物質の濃度と前記有害物質の濃度に基づいて前記システムの運転モードを設定し、設定された運転モードにしたがって室内ユニット及び室外ユニットの作動を制御するための制御ユニットを含む。また、本発明に係る空気循環システムの制御方法は、室内空気に含まれた汚染物質の濃度と有害物質の濃度を感知し、感知された汚染物質の濃度と有害物質の濃度に基づいて前記システムの運転モードを設定し、設定された該当運転モードにしたがって前記システムを運転することを特徴とする。【選択図】  図３
2005221217.tif 000002
【特許請求の範囲】
【請求項１】
室内空間の室内空気を浄化及び/または換気するための空気循環システムにおいて、
室内ユニット；
室外ユニット；
前記室内空気に含まれた汚染物質の濃度を感知するための汚染物質感知センサー；
前記室内空気に含まれた有害物質の濃度を感知するための有害物質感知センサー；及び、
前記各センサーにより感知された前記汚染物質の濃度と前記有害物質の濃度に基づいて前記システムの運転モードを設定し、設定された運転モードにしたがって前記室内ユニット及び前記室外ユニットの作動を制御するための制御ユニット；を含むことを特徴とする空気循環システム。
【請求項２】
前記制御ユニットは、前記室内ユニットと室外ユニットを制御するためのコントローラと、前記システムの運転モードを設定するための運転設定情報を格納するメモリとを含むことを特徴とする請求項１に記載の空気循環システム。
【請求項３】
前記システムの運転モードは、換気運転、空気浄化運転、換気及び空気浄化運転を含み、前記運転設定情報は、前記汚染物質に対する第１上限と第１下限、前記有害物質に対する第２上限と第２下限を含み、前記コントローラは、前記センサーにより感知された汚染物質の濃度と前記第１上限及び第１下限と比較し、前記センサーにより感知された有害物質の濃度と前記第２上限及び第２下限と比較して前記システムの運転モードを設定することを特徴とする請求項２に記載の空気循環システム。
【請求項４】
前記室内ユニットは、その内部に排気空間と給気空間が区画形成され、前記給気空間には送風ファンが設けられることを特徴とする請求項３に記載の空気循環システム。
【請求項５】
前記制御ユニットは、前記空気浄化運転にあたり前記送風ファンの回転速度を第１速度に設定し、前記換気運転にあたり前記送風ファンの回転速度を第２速度に設定し、前記換気及び空気浄化運転にあたり前記送風ファンの回転速度を第３速度に設定することを特徴とする請求項３に記載の空気循環システム。
【請求項６】
前記第３速度は、前記第１速度及び前記第２速度より大きく、前記第１速度は第２速度より大きいことを特徴とする請求項５に記載の空気循環システム。
【請求項７】
前記第２速度は、最低速度に設定することを特徴とする請求項５に記載の空気循環システム。
【請求項８】
前記室内ユニットは、室内空気の出入のために前記排気空間に設置する排気ダンパーと、前記室内空気に含まれた有害物質をろ過するためのフィルタと、前記室外ユニットからの外部空気の出入のために前記給気空間に設置する給気ダンパーと、をさらに備えることを特徴とする請求項４に記載の空気循環システム。
【請求項９】
前記室外ユニットは、給気流路と排気流路が交差する位置に設置した電熱交換器、前記電熱交換器の入口に設置する異物除去フィルタ、前記給気流路に設置する給気ファン及び給気ファンモータ、前記排気流路に設置する排気ファン及び排気ファンモータを含むことを特徴とする請求項１に記載の空気循環システム。
【請求項１０】
前記汚染物質は、一酸化炭素または二酸化炭素であることを特徴とする請求項１に記載の空気循環システム。
【請求項１１】
前記有害物質は、総揮発性有機化合物であることを特徴とする請求項１に記載の空気循環システム。
【請求項１２】
前記有害物質は、ホルムアルデヒドであることを特徴とする請求項１に記載の空気循環システム。
【請求項１３】
前記有害物質は、ホコリ、タバコの煙、臭い、かび、殺虫剤のうち少なくとも一つを含むことを特徴とする請求項１に記載の空気循環システム。
【請求項１４】
複数の室内空間に対応して複数の室内ユニットを設置する場合、前記複数の室内ユニットと室外ユニット間を連結する連結ダクトをさらに含み、前記制御ユニットは、該当室内ユニットに対応する汚染物質の濃度と有害物質の濃度に基づいて設定した運転モードにしたがって複数の室内ユニット及び室外ユニットを制御することを特徴とする請求項１に記載の空気循環システム。
【請求項１５】
室内空気を浄化及び/または換気するための空気循環システムの制御方法において、
前記室内空気に含まれた汚染物質の濃度と有害物質の濃度を感知し、感知された汚染物質の濃度と有害物質の濃度に基づいて前記システムの運転モードを設定し、設定された該当運転モードにしたがって前記システムを運転することを特徴とする空気循環システムの制御方法。
【請求項１６】
前記システムの運転モードは、換気運転と、空気浄化運転と、換気及び空気浄化運転とを含むことを特徴とする請求項１５に記載の空気循環システムの制御方法。
【請求項１７】
前記汚染物質の濃度を第１上限及び第１下限と比較し、前記有害物質の濃度を第２上限及び第２下限と比較して、その比較結果に基づいて前記換気運転、空気浄化運転、換気及び空気浄化運転のうちいずれか一つを行うことを特徴とする請求項１６に記載の空気循環システムの制御方法。
【請求項１８】
前記換気及び空気浄化運転は、前記汚染物質の濃度が前記第１上限に比べて大きく、前記有害物質の濃度が第２上限に比べて大きい場合に行うことを特徴とする請求項１７に記載の空気循環システムの制御方法。
【請求項１９】
前記換気運転は、前記汚染物質の濃度が前記第１上限に比べて大きく、前記有害物質の濃度が第２上限に比べて大きくない場合、または、前記汚染物質の濃度が前記第１上限に比べて大きくないと同時に第１下限に比べて大きく、前記有害物質の濃度が第２下限に比べて大きくない場合に行うことを特徴とする請求項１７に記載の空気循環システムの制御方法。
【請求項２０】
前記空気浄化運転は、前記有害物質の濃度が第２上限に比べて大きく、前記汚染物質の濃度が第１上限に比べて大きくない場合、または、前記有害物質の濃度が前記第２上限に比べて大きくないと同時に第２下限に比べて大きく、前記汚染物質の濃度が第１下限に比べて大きくない場合に行うことを特徴とする請求項１７に記載の空気循環システムの制御方法。
【請求項２１】
前記汚染物質の濃度が前記第１上限に比べて大きく、前記有害物質の濃度が第２上限に比べて大きくないと同時に前記有害物質の濃度が第２上限に比べて大きく、前記汚染物質の濃度が第１上限に比べて大きくない場合に移転運転モードを維持することを特徴とする請求項１７に記載の空気循環システムの制御方法。
【請求項２２】
前記移転運転モードは、前記換気運転、空気浄化運転、換気及び空気浄化運転のうちいずれか一つであることを特徴とする請求項２１に記載の空気循環システムの制御方法。
【請求項２３】
前記汚染物質は、一酸化炭素または二酸化炭素であることを特徴とする請求項１５に記載の空気循環システムの制御方法。
【請求項２４】
前記有害物質は、総揮発性有機化合物、ホルムアルデヒド、ホコリ、タバコの煙、臭い、かび、殺虫剤のうち少なくとも一つを含むことを特徴とする請求項１５に記載の空気循環システムの制御方法。
【発明の詳細な説明】
【技術分野】
【０００１】
本発明は、空気循環システム及びその制御方法に関し、さらに詳細には、室内空気に含まれた汚染物質の濃度と有害物質の濃度に基づいて適宜の運転を行う空気循環システム及びその制御方法に関する。
【背景技術】
【０００２】
近来、室内空気中のホコリや異物などをろ過して空気を清浄に浄化させるための空気浄化装置が開発されており、この空気浄化装置では、送風ファンを駆動して吸入される室内空気がフィルタを通過するようにして微細ホコリなどをろ過し、浄化された清浄な空気を室内に供給する空気循環過程が行われる。
【０００３】
ところで、最近では、室内で使用する機器や建築仕上げ材の多様化に伴って、室内空間における有害物質の濃度も増大しつつある。かかる有害物質は、一時的に居住者に不快感を与えることに留まらず、空気汚染による深刻な疾患を招いている実情にある。有害物質は、室内空間の環境によって様々であり、ホコリ、タバコの煙、臭い、かび、殺虫剤などの一般的なものをはじめ、総揮発性有機化合物(ＴＶＯＣ)、ホルムアルデヒド(ＨＣＨＯ)なども新たに台頭しつつある。
【０００４】
既存の空気浄化装置には、循環空気に含まれたホコリをフィルタを利用してろ過する空気浄化機能のほかに、換気機能を付加する方式を導入したものもあるが、単なる空気浄化機能または換気機能が行えるだけで、室内空間の汚染状態を認識して自動的に空気浄化機能または換気機能を行うことはできなかった。もちろん、室内空間の居住者が換気または空気浄化動作を設定してもいいが、居住者は、室内空間に含まれた汚染物質と有害物質に対する感知能力が極めて低く不正確なので、空気浄化を行う動作と換気を行う動作を的確な時期に実行することはほぼ不可能である。また、空気浄化動作と換気動作が同時に要求される場合もあるが、それらの動作のためには、その時期を正確に認識し実行する必要がある。したがって、室内空間の汚染状態に基づいて換気、空気浄化、換気及び空気浄化を適宜行うシステムが要求されている実情である。
【発明の開示】
【発明が解決しようとする課題】
【０００５】
本発明は、上記の問題点に鑑みてなされたものであり、室内空気に含まれた汚染物質の濃度と室内空気に含まれた有害物質の濃度に基づいて換気、空気浄化、または、換気及び空気浄化のための運転を行えるようにする空気循環システム及びその制御方法を提供することにその目的がある。
【課題を解決するための手段】
【０００６】
上記の目的を達成するために、本発明は、室内空間の室内空気を浄化及び/または換気するための空気循環システムにおいて、室内ユニット；室外ユニット；前記室内空気に含まれた汚染物質の濃度を感知するための汚染物質感知センサー；前記室内空気に含まれた有害物質の濃度を感知するための有害物質感知センサー；及び、前記各センサーにより感知された前記汚染物質の濃度と前記有害物質の濃度に基づいて前記システムの運転モードを設定し、設定された運転モードにしたがって前記室内ユニット及び前記室外ユニットの作動を制御するための制御ユニット；を含むことを特徴とする。
【０００７】
前記制御ユニットは、前記室内ユニットと室外ユニットを制御するためのコントローラと、前記システムの運転モードを設定するための運転設定情報を格納するメモリとを含む。
【０００８】
前記システムの運転モードは、換気運転、空気浄化運転、換気及び空気浄化運転を含み、前記運転設定情報は、前記汚染物質に対する第１上限と第１下限、前記有害物質に対する第２上限と第２下限を含み、前記コントローラは、前記センサーにより感知された汚染物質の濃度と前記第１上限及び第１下限と比較し、前記センサーにより感知された有害物質の濃度と前記第２上限及び第２下限と比較して前記システムの運転モードを設定する。
前記室内ユニットは、その内部に排気空間と給気空間が区画形成され、前記給気空間には送風ファンが設けられる。
【０００９】
前記制御ユニットは、前記空気浄化運転にあたり前記送風ファンの回転速度を第１速度に設定し、前記換気運転にあたり前記送風ファンの回転速度を第２速度に設定し、前記換気及び空気浄化運転にあたり前記送風ファンの回転速度を第３速度に設定する。
前記第３速度は、前記第１速度及び前記第２速度より大きく、前記第１速度は第２速度より大きい。
前記第２速度は、最低速度に設定する。
【００１０】
前記室内ユニットは、室内空気の出入のために前記排気空間に設置する排気ダンパーと、前記室内空気に含まれた有害物質をろ過するためのフィルタと、前記室外ユニットからの外部空気の出入のために前記給気空間に設置する給気ダンパーと、をさらに備える。
前記室外ユニットは、給気流路と排気流路が交差する位置に設置した電熱交換器、前記電熱交換器の入口に設置する異物除去フィルタ、前記給気流路に設置する給気ファン及び給気ファンモータ、前記排気流路に設置する排気ファン及び排気ファンモータを含む。
【００１１】
前記汚染物質は、一酸化炭素または二酸化炭素である。
前記有害物質は、総揮発性有機化合物である。
前記有害物質は、ホルムアルデヒドである。
前記有害物質は、ホコリ、タバコの煙、臭い、かび、殺虫剤のうち少なくとも一つを含む。
【００１２】
本発明は、複数の室内空間に対応して複数の室内ユニットを設置する場合、前記複数の室内ユニットと室外ユニット間を連結する連結ダクトをさらに含み、前記制御ユニットは、該当室内ユニットに対応する汚染物質の濃度と有害物質の濃度に基づいて設定した運転モードにしたがって複数の室内ユニット及び室外ユニットを制御することを特徴とする。
【００１３】
上記の目的を達成するために、本発明は、室内空気を浄化及び/または換気するための空気循環システムの制御方法において、前記室内空気に含まれた汚染物質の濃度と有害物質の濃度を感知し、感知された汚染物質の濃度と有害物質の濃度に基づいて前記システムの運転モードを設定し、設定された該当運転モードにしたがって前記システムを運転することを特徴とする。
【００１４】
前記システムの運転モードは、換気運転と、空気浄化運転と、換気及び空気浄化運転とを含む。
前記汚染物質の濃度を第１上限及び第１下限と比較し、前記有害物質の濃度を第２上限及び第２下限と比較して、その比較結果に基づいて前記換気運転、空気浄化運転、換気及び空気浄化運転のうちいずれか一つを行う。
前記換気及び空気浄化運転は、前記汚染物質の濃度が前記第１上限に比べて大きく、前記有害物質の濃度が第２上限に比べて大きい場合に行う。
【００１５】
前記換気運転は、前記汚染物質の濃度が前記第１上限に比べて大きく、前記有害物質の濃度が第２上限に比べて大きくない場合、または、前記汚染物質の濃度が前記第１上限に比べて大きくないと同時に第１下限に比べて大きく、前記有害物質の濃度が第２下限に比べて大きくない場合に行う。
【００１６】
前記空気浄化運転は、前記有害物質の濃度が第２上限に比べて大きく、前記汚染物質の濃度が第１上限に比べて大きくない場合、または、前記有害物質の濃度が前記第２上限に比べて大きくないと同時に第２下限に比べて大きく、前記汚染物質の濃度が第１下限に比べて大きくない場合に行う。
【００１７】
前記汚染物質の濃度が前記第１上限に比べて大きく、前記有害物質の濃度が第２上限に比べて大きくないと同時に前記有害物質の濃度が第２上限に比べて大きく、前記汚染物質の濃度が第１上限に比べて大きくない場合に移転運転モードを維持する。前記移転運転モードは、前記換気運転、空気浄化運転、換気及び空気浄化運転のうちいずれか一つである。
【発明の効果】
【００１８】
本発明に係る空気循環システムは、室内空間に含まれた汚染物質の濃度と有害物質の濃度に基づいてシステムの運転モードを自動設定するので、正確で簡便に居住者に快適な室内環境を提供することができる。
【００１９】
また、本発明は、単一の室外ユニットに連結部材を延長して複数の室内ユニットを簡便に連結構成できるので、拡張性に優れている。
【発明を実施するための最良の形態】
【００２０】
以下、本発明に係る好ましい実施例を添付図面を参照しつつ詳細に説明する。
本発明に係る空気循環システムは、室内空気を浄化する機能、室内空気を換気する機能、そして換気及び空気浄化を同時に行う機能を行えるように設けられたものであり、図１に示すように、天井１に上面が接し、２つの側壁が隣り合う角部に取り付けられた室内ユニット１０を備える。
【００２１】
室内ユニット１０は、図２に示すように、室外に設置された室外ユニット２０と連結されるが、室外ユニット２０は、外形をなす筐体２１の内部に入口２２ａ、２３ａと出口２２ｂ、２３ｂをそれぞれ含む給気流路２２と排気流路２３が形成され、給気流路２２の一側には各々給気ファン２２ｃ及び給気ファンモータ２２ｄが取り付けられ、排気流路２３の一側には排気ファン２３ｃ及び排気ファンモータ２３ｄが取り付けられる。
【００２２】
給気流路２２と排気流路２３は、相互交差するように形成され、この交差部には排気流路の空気と給気流路の空気が熱交換されるようにする電熱交換器２４が設置される。電熱交換器２４は、室内に流入される室外空気と室内空気間の温度差を縮めるためのものである。
【００２３】
室外ユニット２０の給気ファン２２ｃが駆動されると、給気流路２２の入口２２ａから流入された空気が給気流路２２の出口２２ｂを通じて筐体２１外に吐出され、排気ファン２３ｃが駆動されると、排気流路２３の入口２３ａから流入された空気が排気流路２３の出口２３ｂを通じて筐体２１外に吐出される。
【００２４】
給気流路２２の出口２２ｂと排気流路２３の入口２３ａにはそれぞれ、室内ユニット１０と室外ユニット２０とを連結する給気ダクト３１と排気ダクト３２の一端が連結され、給気ダクト３１と排気ダクト３２の他端にはそれぞれ、室内壁面を通じて室内空間の内部に延びる延長部３１ａ、３２ａが設けられる。
【００２５】
図３に示すように、室内ユニットの背面にダクト３１、３２の延長部３１ａ、３２ａに結合されるダクト連結部４０を設け、このダクト連結部４０には、給気ダクト３１と連結される外気流入口４１と排気ダクト３２と連結される内気排出口４２が備えられる。
【００２６】
室内ユニット１０の内部空間には、外気流入口４１と通じるように広く形成された右側の給気空間５０と、内気排出口４２と通じるように狭く形成された左側の排気空間６０が第１仕切り板４３により区画されている。排気空間６０の前面には、室内空気が排気空間６０内部に流入されるように内気流入口６１が設けられ、この排気空間６０は空気の循環が円滑となるように室内ユニットの内側面に沿って形成される。
【００２７】
給気空間５０は、その内部を上下に区画する第２仕切り板４４により上側の第１給気空間７０と下側の第２給気空間８０とに区画され、第１給気空間７０の前面には給気空間５０内の空気を室内に吐出させるための吐出口５１を設け、第２給気空間８０の下方には室内空気を給気空間５０の内部に流入させるための吸入口５２を設ける。
【００２８】
吸入口５２の上部の第２給気空間８０には吸入口を覆うように設けられて給気空間５０内部に流入された室内空気をろ過させるためのフィルタ５３が備えられ、第１給気空間７０には、外気流入口４１と吸入口５２を通じて給気空間内部に流入された空気を吐出口５１の方に送風させるために遠心ファンからなる送風ファン５４が設置される。
【００２９】
送風ファン用モータ５５は、室内ユニット１０の内側上面に固定される。また、前記第２仕切り板４４には、送風ファン５４の入口と連通し、また、第１給気空間７０と第２給気空間８０がお互い通じるようにする連通穴４４ａが形成され、第１給気空間７０には送風ファン５４により送風される空気を吐出口側に案内するための送風ガイド７１が設けられる。
【００３０】
排気空間６０の途中には空気の流れを開閉するための排気ダンパー６２が設けられ、外気流入口４１には、外気流入口４１を開閉するための給気ダンパーが設けられる。
前記給気ダンパーは、給気用開閉部材４５ａと給気ダンパーモータ４５ｂとからなり、排気ダンパー６２は排気用開閉部材６２ａと排気ダンパーモータ６２ｂとからなる。
このような構造を有する給気ダンパー及び排気ダンパーは、図４に示すように、室内ユニットの全般的な動作を制御する制御ユニット１００によって制御される。
【００３１】
制御ユニット１００は、入力部１１０から運転開始命令が入力されると、あらかじめ運転制御プログラムに基づいて初期運転を行う。制御ユニット１００は、室内空気の汚染状態、すなわち室内空気に含まれた汚染物質(例えば、二酸化炭素または一酸化炭素)の濃度に対応する感知信号を汚染物質感知センサー１２０から受信し、また、室内空気に含まれた有害物質の濃度に対応する感知信号を有害物質感知センサー１３０から受信する。ここで、有害物質は、ホコリ、タバコの煙、臭い、かび、殺虫剤などをはじめ、室内空間の建築仕上げ材によって主に発生する総揮発性有機化合物またはホルムアルデヒドを含むが、これに限定されるのではない。つまり、室内ユニットの取り付けられる室内空間の環境条件によって発生し得る各種有害物質を感知できるようなセンサーを採択するとよい。
【００３２】
汚染物質感知センサー１２０と有害物質感知センサー１３は、室内空間の適所に取り付ける。好ましくは、室内ユニットの内部に取り付ける。
制御ユニット１００は、コントローラ１０１とメモリ１０２とからなる。
【００３３】
コントローラ１０１は、入力部１１０からの入力命令にしたがってシステムの運転を開始または停止する機能とともに、汚染物質感知センサー１２０と有害物質感知センサー１３０からの感知信号に基づいて室内汚染状態を認識し、システムの運転モードを設定する。また、コントローラ１０１は、設定した運転モードにしたがってファンモータ駆動部１４０を制御して給気ファンモータ２２ｄ、排気ファンモータ２３ｄ、送風ファンモータ５５を駆動し、ダンパーモータ駆動部１５０を制御して給気ダンパーモータ４５ｂと排気ダンパーモータ６２ｂを駆動する。
【００３４】
メモリ１０２は、システムの運転モードを設定するための運転設定情報を格納し、ここで、前記情報は、室内空間に汚染物質が増加し換気作用が要求される汚染物質の濃度と、室内空間に有害物質が増加し空気浄化作用が要求される有害物質の濃度とを含む。例えば、メモリ１０２には、汚染物質に対する第１上限と第１下限のデータ、そして有害物質に対する第２上限と第２下限のデータを格納する。
【００３５】
室内空気に含まれた有害物質を除去することによって室内空気を浄化する空気浄化運転を行う場合、図６に示すように、コントローラ１０１は、給気ダンパー４５を閉じて外気流入口４１を閉鎖し、排気ダンパー６２を閉じて排気空間６０による空気の流れを遮断した状態で、送風ファン５４を設定された第１速度で回転させる。すると、室内空気は、送風ファン５４の送風作用により吸入口５２を通じて第２給気空間８０に流入されながらフィルタ５３を通過するが、このフィルタ５３を通過した空気は有害物質がろ過された状態で第１給気空間７０に流入され、吐出口５１を通じて室内に吐出される。
【００３６】
一方、室内空気に含まれた汚染物質を外部に排出して室内空気を換気する換気運転を行う場合、図７に示すように、コントローラ１０１は給気ダンパー４５を開いて外気流入口４１を開放させ、排気ダンパー６２を開いて排気空間６０に沿って空気が流れるようにした状態で、送風ファン５４を設定された第２速度(第１速度に比べて小さい速度)で回転させる。ここで、第２速度は、流入される外部空気が室内に円滑に吐出されるように最低速度に設定されるが、これは、送風ファンの速度が大きいと吸入口５２を通じた室内空気の吸入が発生し、本来の目的である換気に有効でないためである。換気運転時には、図８に示すように、室外ユニット２０の給気ファン２２ｃの作用により給気流路２２と給気ダクト３１に沿って外気流入口４１に案内された室外空気は、送風ファン５４の作用により引続き第２給気空間８０と第１給気空間７０を順に経た後、吐出口５１から室内に供給されるし、室内空気は、図８に示すように、換気装置２０の排気ファン２３ｃの作用によって内気流入口６１を通じて排気空間６０内に流入された後、引続き内気排出口４２と排気ダクト３２に沿って換気装置２０の排気流路２３に伝達され、排気流路２３を通じて室外に排出される。これにより、室内空気に含まれた汚染物質が外部に排出され、室内空気の換気がなされる。
【００３７】
空気浄化運転と換気運転を同時に行う場合、図９に示すように、コントローラ１０１は、各ダンパー４５、６２を開放させた状態で、前記送風ファン５４を設定された第３速度(第１及び第２速度に比べて大きい速度)で回転させる。すると、吸入口５２を通じて流入される室内空気と、外気流入口４１に連結される給気ダクト３１の室外空気が共に給気空間５０に流入されて吐出口５１を通じて室内に吐出され、一部の室内空気は排気空間６０を経由して室外に排出されることによって、換気作用と空気浄化作用が同時に行われる。
【００３８】
次に、このように構成される本発明に係る空気循環システムの制御方法を説明する。
図５に示すように、まず、コントローラ１０１は、入力部１１０から入力される運転開始信号に応答してあらかじめ設定された運転制御プログラムに基づいて初期運転を行う(２００段階)。
【００３９】
コントローラ１０１は、汚染物質感知センサー１２０と有害物質感知センサー１３０によりそれぞれ室内空気に含まれた汚染物質の濃度(ＰＣ)と有害物質の濃度(ＨＣ)が感知され入力されると、これら汚染物質の濃度(ＰＣ)と有害物質の濃度(ＨＣ)を認識する(２０２段階)。
【００４０】
コントローラ１０１は、感知された汚染物質の濃度(ＰＣ)が設定された第１上限に比べて大きいか判断し(２０４段階)、感知された汚染物質の濃度(ＰＣ)が設定された第１上限に比べて大きいと、換気運転変数(ｉ)を“１”にセットする(２０６段階)。一方、２０４段階の判断結果、感知された汚染物質の濃度(ＰＣ)が設定された第１上限に比べて大きくない場合、感知された汚染物質の濃度(ＰＣ)が設定された第１下限に比べて大きいか判断し(２０８段階)、感知された汚染物質の濃度(ＰＣ)が設定された第１下限に比べて大きいと、換気運転変数(ｉ)を“４”にセットする(２１０段階)。２０８段階の判断結果、感知された汚染物質の濃度(ＰＣ)が設定された第１下限に比べて大きくないと、換気運転変数(ｉ)を“７”にセットする(２１２段階)。
【００４１】
換気運転変数の設定を完了した後、コントローラ１０１は、感知された有害物質の濃度(ＨＣ)が設定された第２上限に比べて大きいか判断し(２１４段階)、感知された有害物質の濃度(ＨＣ)が設定された第２上限に比べて大きいと、空気浄化運転変数(ｊ)を“０”にセットする(２１６段階)。一方、２１４段階の判断結果、感知された有害物質の濃度(ＨＣ)が設定された第２上限に比べて大きくないと、感知された有害物質の濃度(ＨＣ)が設定された第２下限に比べて大きいか判断し(２１８段階)、感知された有害物質の濃度(ＨＣ)が設定された第２下限に比べて大きいと、空気浄化運転変数(ｊ)を“１”にセットする(２２０段階)。２１８段階の判断結果、感知された有害物質の濃度(ＨＣ)が設定された第２下限に比べて大きくないと、空気浄化運転変数(ｊ)を“２”にセットする(２２２段階)。
【００４２】
空気浄化運転変数の設定を完了した後、コントローラ１０１は、換気運転変数(ｉ)と空気浄化運転変数(ｊ)を加算して運転モード変数(Ｋ)として設定する(２２４段階)。
その後、コントローラ１０１は、運転モード変数(Ｋ)が“１”か判断し(２２６段階)、その判断結果、運転モード変数(Ｋ)が“１”であると、図９に示すように、換気運転と空気浄化運転を同時に行う(２２８段階)。
【００４３】
２２６段階の判断結果、運転モード変数(Ｋ)が“１”でないと、コントローラ１０１は運転モード変数(Ｋ)が“２”、“３”、“６”のうちいずれか一つか判断し(２３０段階)、その判断結果、運転モード変数(Ｋ)が“２”、“３”、“６”のうちいずれか一つであると、図６に示すように、換気運転を行う(２３２段階)。
【００４４】
２３０段階の判断結果、運転モード変数(Ｋ)が“２”、“３”、“６”のうちいずれかに該当しない場合、コントローラ１０１は運転モード変数(Ｋ)が“４”、“７”、“８”のうちいずれか一つか判断し(２３４段階)、その判断結果、運転モード変数(Ｋ)が“４”、“７”、“８”のうちいずれか一つであると、図７に示すように、空気浄化運転を行う(２３６段階)。
【００４５】
２３４段階の判断結果、運転モード変数(Ｋ)が“４”、“７”、“８”のうちいずれか一つに該当しない場合、コントローラ１０１は、運転モード変数(Ｋ)が“５”であるかを判断し(２３８段階)、その判断結果、運転モード変数(Ｋ)が“５”でないと、コントローラ１０１は運転モード変数(Ｋ)が“９”であると判断し、２０２段階に戻る。
【００４６】
２３８段階の判断結果、運転モード変数(Ｋ)が“５”である場合、コントローラ１０１は以前の運転モードが空気浄化運転か判断し(２４０段階)、その判断結果、以前の運転モードが空気浄化運転である場合、２３６段階に進行して空気浄化運転を維持する。２４０段階の判断結果、以前の運転モードが空気浄化運転でないと、２２８段階に進行して換気運転及び空気浄化運転を同時に行う。この実施例では、２４０段階で以前の運転モードが空気浄化運転か判断したが、これに限定されず、以前の運転モードが換気運転か判断しそれに基づいて換気運転を維持する方式を採択してもよく、以前の運転モードが換気及び空気浄化運転か判断しそれにも基づいて換気及び空気浄化運転を維持する方式を採択してもいい。
【００４７】
２２８、２３２、２３６段階の動作を行う途中で入力部１１０から運転停止命令が入力されると、運転終了命令か判断し(２４２段階)、運転終了命令でないと判断されたら続けて運転を行うために２０２段階に戻り、運転終了命令と判断されたらシステムの運転を停止する。
【００４８】
図１０は、本発明の他の実施例によって複数の室内ユニットを室外ユニットに連結した状態を示す断面図である。
図１０に示すように、お互い区画された第１室内空間(Ｒ１)と第２室内空間(Ｒ２)にそれぞれ第１室内ユニット１０Ａと第２室内ユニット１０Ｂを設置する。ここで、第１及び第２室内ユニット１０Ａ、１０Ｂは同一機能の構成要素を同一に備える。
【００４９】
第１及び第２室内ユニット１０Ａ、１０Ｂに単一の室外ユニット２０Ａを共通連結する。これにより、第１及び第２室内ユニット１０Ａ、１０Ｂは給気流路３１Ａと排気流路３２Ａを共有するようになる。
【００５０】
第１及び第２室内ユニット１０Ａ、１０Ｂと室外ユニット２０Ａにおける作動は、上述した制御ユニットによって該当室内空間における汚染物質の濃度と有害物質の濃度に基づいて独立して行う。
【図面の簡単な説明】
【００５１】
【図１】本発明に係る空気循環システムの室内ユニットを示す斜視図である。
【図２】本発明に係る空気循環システムの室内ユニットと室外ユニットの連結状態を示す断面図である。
【図３】本発明に係る空気循環システムの室内ユニットの内部構造を示す斜視図である。
【図４】本発明に係る空気循環システムの制御ブロックダイアグラムである。
【図５】本発明に係る空気循環システムの動作を説明するための流れ図である。
【図６】図１の切取線Ｂ−Ｂに沿って切り取った後矢印方向から見た断面図であり、空気循環運転時における給気空間を通じた空気の流れを示す図である。
【図７】図１の切取線Ｂ−Ｂに沿って切り取った後矢印方向から見た断面図であり、換気運転時における給気空間を通じた空気の流れを示す図である。
【図８】図１の切取線Ａ−Ａに沿って切り取った後矢印方向から見た断面図であり、換気運転時における排気空間を通じた空気の流れを示す図である。
【図９】図１の切取線Ｂ−Ｂに沿って切り取った後矢印方向から見た断面図であり、換気運転と空気浄化運転を同時に行う場合の給気空間を通じた空気の流れを示す図である。
【図１０】本発明の他の実施例によって複数の室内ユニットを室外ユニットに連結した状態を示す断面図である。
【符号の説明】
【００５２】
１０：室内ユニット
２０：室外ユニット
２２：給気流路
２３：排気流路
４５：給気ダンパー
４５ｂ：給気ダンパーモータ
５４：送風ファン
６０：排気空間
６２：排気ダンパー
６２ｂ：排気ダンパーモータ
【図１】
2005221217.tif 000003
【図２】
2005221217.tif 000004
【図３】
2005221217.tif 000005
【図４】
2005221217.tif 000006
【図５】
2005221217.tif 000007
【図６】
2005221217.tif 000008
【図７】
2005221217.tif 000009
【図８】
2005221217.tif 000010
【図９】
2005221217.tif 000011
【図１０】
2005221217.tif 000012
【手続補正書】
【提出日】平成16年4月22日(2004.4.22)
【手続補正１】
【補正対象書類名】特許請求の範囲
【補正対象項目名】請求項２１
【補正方法】変更
【補正の内容】
【請求項２１】
前記汚染物質の濃度が前記第１下限に比べて大きく、前記有害物質の濃度が第２上限に比べて大きくないと同時に前記有害物質の濃度が第２下限に比べて大きく、前記汚染物質の濃度が第１上限に比べて大きくない場合に移転運転モードを維持することを特徴とする請求項１７に記載の空気循環システムの制御方法。